(57)【特許請求の範囲】
【請求項１】
電源と；
前記電源に連結されたトリガーと；
タイミング回路及びドライバーを含み、前記トリガーによって起動される回路素子と；
前記回路素子に連結された光源と；
光ファイバーケーブル及び出力チップを含み、前記光源に連結された光学アセンブリと；
を含み、
前記光源が、１より多い所定の波長で光を放出し、前記波長が、歯内治療を実施するための所定の第一の波長の光、及び歯周治療を実施するための所定の第二の波長の光を含み、そして、
前記ドライバーが、光源のパルス発生、周期、デューティサイクルの１つ以上を制御して、光子誘起音響波を生成し、そして、
前記光子誘起音響波が、前記光学アセンブリを通って前記出力チップから所定のパターンで射出される、
歯内及び歯周用途のための光子誘起音響流デバイス。
【請求項２】
光学アセンブリが、光源からの光を屈折させる、請求項１に記載のデバイス。
【請求項３】
光源が、白熱灯、高輝度放電ランプ、発光ダイオード、レーザーダイオードの少なくとも１つを含む、請求項１に記載のデバイス。
【請求項４】
光学アセンブリが、光源からの光が光ファイバーケーブルを進む前に前記光を集束するように設定された光学素子をさらに含む、請求項１に記載のデバイス。
【請求項５】
光学素子が、光学レンズ、反射鏡、ミラー、プリズムの少なくとも１つを含む、請求項４に記載のデバイス。
【請求項６】
出力チップが、前記出力チップ内に埋め込まれた接触点を含み、電力設定が、予め選択された歯内用途又は歯周用途のための、予め決定された電力設定範囲に含まれない場合には、前記接触点がデバイスの電力設定を感知しそして前記電力設定を調節するように予め設定されている、請求項１に記載のデバイス。
【請求項７】
出力チップが、前記デバイスの前記光学アセンブリから取り外し可能である、請求項１に記載のデバイス。
【請求項８】
出力チップが、
光源に隣接しており、前記チップの上部を囲んでいる光ファイバーハウジングと；
前記光ファイバーハウジングに連結されそして前記出力チップの下部を囲んでいる、第一プラスチック光ファイバーと；
前記第一プラスチック光ファイバーを囲んでいる第二プラスチック光ファイバーと；
を含み、前記第一プラスチック光ファイバー及び前記第二プラスチック光ファイバーは、エアポケットにより分離されている、請求項７に記載のデバイス。
【請求項９】
光が、第一プラスチック光ファイバーを通り、エアポケットを通り、そして第二プラスチック光ファイバーを通り、出力チップから射出される、請求項８に記載のデバイス。
【請求項１０】
所定のパターンが、１つの点に集束される光から構成される、請求項１に記載のデバイス。
【請求項１１】
所定のパターンが、複数の方向に屈折する光から構成される、請求項１に記載のデバイス。
【請求項１２】
電源が、バッテリーを含む、請求項１に記載のデバイス。
【請求項１３】
トリガーが、開始／停止スイッチを含む、請求項１に記載のデバイス。
【請求項１４】
所定の第一の波長が、９５０ｎｍ〜９８０ｎｍであり、そして所定の第二の波長が、５００ｎｍ〜１０６４ｎｍである、請求項１に記載のデバイス。
【請求項１５】
電源と；
前記電源に連結されたトリガーと；
タイミング回路及びドライバーを含み、前記トリガーによって起動される回路素子と；
前記回路素子に連結された光源と；
光ファイバーケーブル及び出力チップを含み、前記光源に連結された光学アセンブリと；
を含み、
前記光源が、１より多い所定の波長で光を放出し、前記波長が、歯内治療を実施するための所定の第一の波長の光、及び歯周治療を実施するための所定の第二の波長の光を含み、そして、
前記ドライバーが、光源のパルス発生、周期、及びデューティサイクルの１つ以上を制御して、光子誘起音響波を生成し、
前記出力チップが、歯石除去、バイオフィルム除去、軟組織切断、軟組織除去、歯周ポケットの消毒、生物刺激、の少なくとも１つに適応する、
光子により誘起される歯内及び歯周用途のためのデバイス。
【請求項１６】
光源が、白熱灯、高輝度放電ランプ、発光ダイオード、レーザーダイオードの少なくとも１つを含む、請求項１５に記載のデバイス。
【発明の詳細な説明】
【技術分野】
【０００１】
本発明は、歯周及び歯内治療のための潅注（irrigation）及び洗浄用の、流体にパルスするための光源を利用するデバイス及び方法に関する。
【関連出願に関する相互参照】
【０００２】
本出願は、２０１２年４月５日に出願された米国仮出願第６１／６２０，７１８号の優先権の利益を主張する。
【発明の背景】
【０００３】
組織及び周囲構造の効果的な潅注は、歯周及び歯内治療の両方において、効果的な洗浄と消毒とを可能にする。潅注は、流体を撹拌することによって達成される。歯周治療例えば歯肉手術（gum surgery）、及び歯内例えば歯根管（root canals）の治療において、この撹拌及び潅注は、細菌を根絶し、感染の機会を減少させる。流体を撹拌すると、撹乱（disturbances）、すなわち、破片（debris）及びその他の異物を生じさせる振動の原因となり、その領域に炎症を生じさせることがあり、そして感染につながる。唾液中に撹乱を及び口腔内に流体を発生させること、及び／又は添加された洗浄剤例えば過酸化水素により、前記異物及び破片を、敏感な領域外へ追い出すことができる。例えば、効果的な歯内治療は、軟部組織の破片、スメア層、及び微生物を根絶するための物理的及び化学的薬剤の組み合わせを必要とする。歯根管では、抗菌の潅注液（irrigants）が一般的に使用される。
【０００４】
種々の撹拌技術により、洗浄液（irrigation solutions）の有効性を改善することが提案されており、これには、ハンドファイル（hand files）、ガッタパーチャコーン（gutta-percha cones）、プラスチック機器、並びに音波及び超音波デバイスによる撹拌が含まれる。光子励起光音響流（Photon-initiated photoacoustic streaming）（ＰＩＰＳ（登録商標））は、歯周及び歯内治療の両方における領域を潅注するための撹拌を発生させるために、パルス光源（pulsing light source）としてレーザーを使用することを意味する。音響流は、高振幅音響振動（high amplitude acoustic oscillations）の吸収により決定される、流体中の一定の流れ（steady current）である。光音響流は振動を誘導するために光子を利用している。
【０００５】
ＰＩＰＳ（登録商標）は、エルビウムＹＡＧレーザー、Ｅｒ：ＹＡＧレーザー（エルビウム・ドープイットリウムアルミニウムガーネットレーザー）を利用し、パルスエネルギーを撹拌流体に移すことにより洗浄液を活性化させそして潅注の有効性を増加させる。この方法は、功罪相半ばする結果（mixed results）を生じさせる。細菌の排除に関する限りは、いくつかの肯定的な結果が浮上したが、Ｅｒ：ＹＡＧレーザーの使用は、コストと有効性の両方を含む多くの課題を提示している。例えば、Ｅｒ：ＹＡＧレーザーにおいては、レーザービームの一定方向のみへの放出が、Ｅｒ：ＹＡＧレーザーの歯根管壁全体への到達を困難にする。加えて、既定のＥｒ：ＹＡＧレーザーは、単一の波長のみを投影することができ、そして種々の歯科的治療は、一時の１つの波長よりも、相違する波長を用いることにより利益を享受することができる。Ｅｒ：ＹＡＧレーザーにより提示された課題が原因で、ＹＡＧレーザーの歯冠根及び他部位を消毒するための、潅注からの利益を享受するＰＩＰＳ（登録商標）の能力は確立されていない。また、Ｅｒ：ＹＡＧレーザーをこの用途に使用することは、多くの歯科医師にとって、法外な費用がかかる可能性がある。
【０００６】
洗浄液中において、レーザー又は任意の光源を使用することの別の課題は、溶液中のホットスポットを生成する電位であり、それ故に、前記電位が、患者の口の中において歯及び歯肉の損傷につながる可能性がある。潅注デバイスから光が発されそして口内の液体、例えば溶媒又は水と接触した時に、発生した熱が集中し（converge）、ホットスポットを生じさせる可能性がある。このホットスポットは、歯系組織の損傷と同様に、痛みを生じさせる可能性がある。
【０００７】
歯内用途とは異なり、レーザー補助歯周治療（Laser Assisted Periodontal Therapy）（ＬＡＰＴ）が、歯周病と戦うために効果的に使用されてきた。しかしながら、歯周病治療に利用する波長、パルスレート、及び電力の設定は、歯内用途で試みたものに対しては、現在では互換性がない。
【０００８】
歯周病は、細菌感染によって引き起こされる慢性炎症性疾患である。炎症は、有害物質（injurious agent）を破壊、希釈、又は囲む（wall off）ための身体の反応である。この反応は、残念ながら、組織を破壊する。歯周病では、歯周ポケットには、不健康な状態の継続に貢献する複数の物質：歯の表面の歯石、病原性細菌、及び／又は潰瘍化した上皮層肉芽組織（epithelial lining with granulation tissue）及び細菌の副産物（bacterial by-products）、が含まれる。
【０００９】
歯周病の治療は、完全にきれいな表面を生じさせるために、歯石、歯垢、及び他の破片を排除するスケーリング・ルートプレーニング（ＳＲＰ）、前記ポケットに分散された全ての病原性細菌を排除する汚染除去（decontamination）、組織のタグ（tissue tags）がない上皮組織すら清潔にするために、肉芽組織、微生物産物、及び潰瘍領域（ulcerated areas）を排除する掻爬（curettage）、並びに生物刺激（biostimulation）を含む。
【００１０】
レーザー歯肉溝デブリードメント（Laser sulcular debridement）は、従来のルートプレーニング・スケーリングの補助療法（adjunct therapy）として使用されている。目的は、健康な組織を損傷を受けていないまま残して、歯周ポケットの患部上皮を除去することである。ダイオードレーザーは、患部軟組織の治療に有効である。ダイオードレーザーエネルギーは、歯周病に存在する、メラニン、ヘモグロビン、及びその他の発色団（chromophore）によってよく吸収される。光源としてのレーザーダイオードによる光音響流の使用を、ＳＲＰに追加することにより、歯周治療の結果は有意に改善されてきた。
【００１１】
ＬＡＰＴにより、伝統的な外科ＳＲＰと比較した以下：長続きする結果、歯肉出血の減少、炎症の減少、ポケットの深さの改善、歯の可動性及びクリニカルアタッチメントロス（clinical attachment loss）の改善、の利点が、少なくとも提示される。ＬＡＰＴはまた、抗生物質後ＳＲＰ（antibiotic post SRP）又は外科的治療についての必要性を排除又は軽減することができる。ＬＡＰＴでは、熱副作用又は光ビーム自体に起因して、組織、歯根（roots of the tooth）、又はセメント質（cementum）への悪影響がない。
【００１２】
この治療は、細胞的に及び生物学的に有益な反応を導き出すレーザーによって放出される光エネルギーを利用している。この治療は、細胞の及び殺菌のレベルで効果的である。細胞レベルでは、代謝を増加させ、細胞の機能を正常化し、組織の治癒促進用に利用可能なエネルギーを増大させる、ＡＴＰ（アデノシン三リン酸）の産生を刺激する。殺菌レベルでは、レーザーエネルギーが、歯肉溝壁（sulcular wall）を含む歯周ポケットの細菌を可能な限り減少させ及び／又は排除し、そして安定した凝血塊（stable clot）を形成する。
【００１３】
効果的で、手頃な価格であり、さらに安全である、歯内と歯周歯科用途の両方用の光子誘起音響流（photon-induced acoustic streaming）のためのシステム及び方法に対する必要性が存在する。
【発明の概要】
【００１４】
本発明の目的は、歯内用途のための、並びに歯周用途における患部組織の治療及び細菌除去のための、歯根管を潅注可能な光子誘起音響流を生成する目的で、手頃な価格の赤外線（ＩＲ）光源を利用することである。
【００１５】
本発明の目的は、患部組織の治療及び歯周用途における細菌除去のための光波の範囲（６００ｎｍ−１，５００ｎｍ）を利用することである。
【００１６】
本発明の他の目的は、歯内用途のために歯根管を潅注可能な、及び／又は歯周用途において患部組織を治療すること及び細菌を除去することが可能な誘起音響流において、１より多い波長を同時に使用することである。
【００１７】
本発明の他の目的は、歯周用途において光子誘起音響流を利用することである。本発明の他の目的は、光子誘起音響流の使用及び不使用の両方による、ＬＡＰＴを提供することにある。
【００１８】
本発明の他の目的は、歯内用途のための、並びに歯周用途における患部組織の治療及び細菌除去のための、歯根管を潅注可能な光子誘起音響流を生成するために、手頃な価格の赤外線（ＩＲ）光源を、安全な方法で利用しそして患者の歯の健康を保つことである。
【００１９】
本発明の１つの実施態様は、電源、前記電源に連結されたトリガー、及び前記トリガーによって起動される回路素子を含む、歯内及び歯周用途のための光子誘起音響流デバイスである。前記回路素子は、タイミング回路及びドライバーを含む。光源は前記の電気回路素子に連結され、そしてドライバーは、光源のパルス発生、周期、及びサイクルを制御して、光子誘起音響波（photon induced acoustic waves）を生成する。光学アセンブリは、光ファイバーケーブル及び出力チップを含み、そして前記光源に連結されている。この光学アセンブリは、光源からの光を屈折させ、そして光子誘起音響波は、所定のパターンで出力チップから射出される。
【００２０】
本発明の１つの実施態様は、歯周及び歯内治療のための光子誘起音響流を利用する方法である。前記方法は、前記のデバイスのハンドヘルドアセンブリ上のトリガーを噛み合わせ、前記光源を起動させ、所定の第一の波長で光を放出する工程と；前記の出力チップの下部を洗浄液中に配置し、前記の出力チップ下部から洗浄液内に光子誘起音響波を放出し、前記洗浄液に接触している歯の根管及び構造を潅注する工程と；波長を調整し、前記光源を起動させ、所定の第二の波長で光を放出する工程と；前記出力チップの下部を患部組織に隣接して配置し、前記出力チップ下部から光子誘起音響波を前記患部組織内に放出し、患部組織の微生物を排除する工程と、を含む。
【００２１】
本発明のさらなる実施態様は、歯周及び歯内治療のための光子誘起音響流を利用する方法である。前記方法は、前記のデバイスのハンドヘルドアセンブリ上のトリガーを噛み合わせ、前記光源を起動させ、所定の第一の波長で光を放出する工程と；前記の出力チップの下部を洗浄液中に配置し、前記の出力チップ下部から洗浄液内に光子誘起音響波を放出し、前記洗浄液に接触している歯の根管及び構造を潅注する工程と；前記デバイスの、反復速度、デューティサイクル、及びパルス持続時間の少なくとも１つを調整する工程と；前記出力チップの下部を患部組織内に隣接して配置し、前記出力チップの下部から光子誘起音響波を前記患部組織に放出し、前記患部組織の微生物を排除する工程と、を含む。
【００２２】
音響流は、高振幅音響振動の吸収によって決定される、流体における一定の流れである。本発明のデバイス及び方法は、各種歯科関連の用途において有用な赤外線（ＩＲ）振動吸収を行うために使用される強度を光にもたらす点で、光源に焦点を当てている。本発明の１つの実施態様では、光ファイバーケーブルの少なくとも１つと出力チップとが振動を加えるために利用される。本発明の種々の実施態様において使用される光源としては、白熱灯、高輝度放電ランプ（ＨＩＤ）、発光ダイオード（ＬＥＤ）、及びレーザーダイオードが含まれるが、これらに限定されない。
【００２３】
本発明の１つの実施態様は、赤外線（ＩＲ）白熱灯を光音響源として利用する。この実施態様は、電動の周期、サイクル、及びパルス発生器によって変調されるＩＲ白熱ランプの少なくとも１つに給電する、ＡＣ又はＤＣ入力電圧を含む。電動の周期、サイクル、及びパルス発生器を通過した光は、光学レンズ、反射鏡、ミラー、又はプリズムの少なくとも１つによって集光されそして集束される。集束された前記の光は、光ファイバーケーブルを通り、そして、出力チップを保持し所望の角度で光を屈折するハンドピースに移動する。
【００２４】
本発明の１つの実施態様は、ＨＩＤの１つ又はそれ以上を光音響源として利用する。電力変換器及び電源のように、この実施態様は、ＡＣ又はＤＣ、ＤＣ電圧電源、力率コントローラー（power factor controller）（ＰＦＣ）回路、ＨＩＤランプの電流及び電圧を制御するためのブリッジインバータ、並びに高電圧点火装置（high voltage igniter）を含む。電動の周期、サイクル、及びパルス発生器が、光をパルス化し、一方で、光学レンズ、反射鏡、ミラー、及び／又はプリズムの少なくとも１つが、光の出力を集束する。集束された前記の光は、この集束された光を出力チップを保持するハンドピースに供給する光ファイバーケーブルを通る。前記出力は、所望の屈折角度で光を屈折させる。
【００２５】
本発明の１つの実施態様は、音響流のための光子の供給源として多波長ＬＥＤアレイ（ダイ）を利用する。この実施態様は、ＡＣ又はＤＣ入力、及びＤＣ電圧電源によって給電される。ＬＥＤドライバーは、周期、サイクル、及びパルスの発生を制御する。光源は、光学デバイス、例えばレンズ、反射鏡、ミラー、及び／又はプリズムにより集束され、そして光ファイバーアセンブリを介して、取り外し可能なチップを保持するハンドピースに取り付けられた光ファイバーケーブルに移動される。前記チップは、液体内に予め決められた所望のパターンで光を屈折させる。
【００２６】
本発明の１つの実施態様は、光音響源としてレーザーダイオードの１つ以上を利用する。この実施態様は、ＡＣ又はＤＣ入力によって給電され、そしてチップを含み光ハウジングアセンブリに取り付けられるハンドピースハウジングを備える。前記ハンドピースハウジングにおいて、これには限定されないが例えばスイッチを含む開始／停止機構は、周期、サイクル、パルスの発生を制御する、タイミング回路及びレーザーダイオードについてのレーザーパワー駆動を起動する。光源は、光学デバイス、例えばレンズ、反射鏡、ミラー、及び／又はプリズムにより集束され、そして光ファイバーアセンブリを介して、取り外し可能なチップを保持するハンドピースに取り付けられた光ファイバーケーブルに移動する。前記チップは、液体内で、予め決められた所望のパターンで光を屈折させる。
【００２７】
本発明の実施態様は、廃棄及び／又は滅菌されることができるチップに特徴付けられる。前記チップの実施態様は、光学的ハウジング２つを含む。第一ハウジングは、光の方向を確立し、そして第二ハウジングは、角度が維持されそして前記チップから放出された光が患者の口内にホットスポットを生成しないように、液体からの光を絶縁する。
【００２８】
本発明の１つの実施態様において、前記チップでは、歯周又は歯内の及び特定の用途かどうかの機器の使用に応じて、異なるチップを代用することができる。
【００２９】
本発明の１つの実施態様において、三種類のチップが、様々な用途に利用される。この実施態様では、第一チップは、光子誘起流チップであり、これは、潅注剤を通じて、光子音響衝撃波を放出する。前記潅注剤には、１７％エチレンジアミン四酢酸（ＥＤＴＡ）又は５．２５％次亜塩素酸ナトリウム溶液が含まれるが、これらに限定されない。第二チップは、ペリオ高エネルギーチップであり、これは、ポケット及び歯組織を通じて分散された病原菌を除去及び排除するように設計される。第三のチップは、ペリオ生物刺激チップであり、細胞機能に生物的な刺激を与え、そしてリンパ液の流れの増加（increased lymphatic flow）、エンドルフィンの生産、微小循環の増加（increased microcirculation）、コラーゲン形成増加、及び線維芽細胞の刺激を促進し修復する。
【００３０】
本発明の１つの実施態様では、９５０−９８０ｎｍの波長が、歯内及び歯周治療の両方の用途で利用される。
【００３１】
特定のＬＥＤ電球、ＨＩＤ、及びレーザーダイオード光源に関連して本発明を説明してきたが、追加の光源が連結されたチップなど、他の多くの変形及び修正が、当業者には明らかであろう。
【図面の簡単な説明】
【００３２】
【図１】本発明の１つの実施態様。
【００３３】
【図２】本発明の１つの実施態様。
【００３４】
【図３】本発明の１つの実施態様。
【００３５】
【図４】本発明の１つの実施態様。
【００３６】
【図５】本発明の１つの実施態様。
【００３７】
【図６】本発明の１つの観点の１つの実施態様。
【００３８】
【図７】本発明の１つの観点の１つの実施態様。
【００３９】
【図８】図８ａ〜８ｃは、本発明の１つの観点の１つの実施態様。
【発明の詳細な説明】
【００４０】
本発明のデバイス及び方法は、各種歯科関連の用途において有用な赤外線（ＩＲ）振動吸収を行うために使用される強度を光にもたらす点で、光源に焦点を当てている。本発明の１つの実施態様では、光ファイバーケーブルの少なくとも１つと出力チップとが振動を加えるために利用される。
【００４１】
本発明のシステム及び方法は、歯内及び／又は歯周治療用の流体をパルスするために、カスタムチップと組み合わせたより低いパワーの手頃な光源を利用する。具体的には、これらの光源は、これらの高振幅音響振動の吸収によって決定される、流体における一定の流れを光子音響流を通じて提供する。
【００４２】
液体の水の赤外振動吸収スペクトルであるこれらの光源は、取り外し可能及び／又は滅菌されているチップに連結され、治療をより衛生的にする。本発明の種々の実施態様において使用される光源としては、白熱灯、高輝度放電ランプ（ＨＩＤ）、発光ダイオード（ＬＥＤ）、及びレーザーダイオードが含まれるが、これらに限定されない。
【００４３】
本発明の種々の実施態様は、潅注、組織溶解、及びスメア層洗浄について効果的な液体をパルスする。これらの実施態様と組み合わされて使用される液体には、水、及び５．２５％次亜塩素酸ナトリウム（ＮａＯＣｌ）、２％クロルヘキシジングルコン酸、１７％エチレンジアミン四酢酸（ＥＤＴＡ）、又は１０％クエン酸を含む、様々なナトリウム溶液が含まれるが、これらに限定されない。
【００４４】
図１は、本発明の１つの実施態様であり、光音響源として赤外線（ＩＲ）白熱灯を利用するデバイス１００である。この実施態様の電源１０１は、ＡＣ又はＤＣ入力電圧を含むが、これには限定されない。前記電源は、ＩＲ白熱灯１０２に給電する。図１の実施態様においては、単一のＩＲ白熱灯１０２を利用しているが、本発明のさらなる実施態様においては、用途及び光源からの所望の出力に応じて追加の光源が利用される。
【００４５】
ＩＲ白熱灯１０２からの光が、電動の周期、サイクル、及びパルス発生器１０３によって変調される。電動の周期、サイクル、及びパルス発生器１０３は低コストであり、そして単純な変調器であり（それは穴を有するディスク及びディスクを回転させるモータである）、そしてその単純さは、この実施態様のコスト優位性を実現するのに役立つ。
【００４６】
前記電動の周期、サイクル、及びパルス発生器１０３を通過した光が、光学レンズ１０４の少なくとも１つにより集光されそして集束される。当業者は、本発明のさらなる実施態様が、光を集光しそして集束するためのこの光学レンズ１０４と機能的に等しい異なる構造体を利用できることを理解するであろう。前記構造体には、反射器、ミラー、及び／又は複数のプリズム、及び／又はこれらの組み合わせの１つ又はそれ以上が含まれるが、これらに限定されない。
【００４７】
図１の実施態様において、電動の周期、サイクル、及びパルス発生器１０３に連結されているものは、開始／停止スイッチ１０８である。前記開始／停止スイッチ１０８は操作しやすさのために前記デバイス１００の下側に配置されている。前記開始／停止スイッチ１０８のアクセスポイントの位置は、オペレーターの資質に応じて、個々のオペレーターによりカスタマイズされる。例えば、ある位置は、左利きのオペレーターにとっては便利でないかもしれないが、一方で、右利きのオペレーターにとっては最も便利である。
【００４８】
この実施態様では、前記開始／停止スイッチ１０８を電動の周期、サイクル、及びパルス発生器１０３に連結させることによって、光源をオフにすることなく、音響流を停止させることができる。急速にオンとオフがなされる場合、白熱光源は、より高い故障率を有し；この種類の調整を行う前に、時間差（lug）が例えば４５秒ある場合には、光源が保護される。本発明のこの実施態様において、前記光源を保護するため、光源は、光源自体をオン又はオフする代わりに、電動の周期、サイクル、及びパルス発生器１０３を用いてパルス化される。したがって、前記電動の周期、サイクル、及びパルス発生器１０３をオフにし、そして前記光源、例えば白熱灯１０２をオンのままにすることにより、前記デバイス１００のための前記光源、白熱灯１０２の寿命が保護される。
【００４９】
図１に戻り、光が光学レンズ１０４により集光されそして集束された後、光は、ハンドピース１０６に前記の光を供給する光ファイバーケーブル１０５を通り、そして、出力チップ１０７を保持し所望の角度で光を屈折するハンドピース１０６に移動する。出口点において、前記出力チップ１０７は、所望の屈折角度（又は複数の角度）で前記の光を屈折させる。前記出力チップ１０７は、図５を参照してより詳細に説明される。前記チップの材料には、プラスチック及び／又はガラス、及び／又は結晶材料（サファイア、石英など）が挙げられるが、これらに限定されない。
【００５０】
図２は、本発明の１つの実施態様であり、光音響源としてＨＩＤの１つ又は複数を利用するデバイス２００である。図２は、単一のＨＩＤランプを示しているが、本発明の追加の実施態様は、複数のＨＩＤランプを利用することができる。
【００５１】
このデバイス２００は、ＤＣ電圧電源２０２に結合されたＡＣ又はＤＣ入力２０１の両方と互換性があり、前記電源２０２は、集積回路（ＩＣ）の全て及び前記電動の周期、サイクル、及びパルス発生器２０７のための電源である。
【００５２】
この実施態様においては、力率コントローラー２０３（ＰＦＣ）回路が、ＨＩＤランプの電流及び電圧を制御する。ＨＩＤランプは変化するので、ＰＦＣ２０３は、ＨＩＤランプ２０６の使用に含まれる。本発明の１つの実施態様は、１９５０ｎｍの光スペクトルにカスタムしたＨＩＤランプを利用する。
【００５３】
前記ＨＩＤランプ２０６は、ＡＣ矩形波（AC square wave）によって給電される。したがって、電力がＨＩＤランプ２０６に到達する前に、ブリッジインバータ２０４によって、ＤＣからＡＣ矩形波に変換される。前記デバイス２００の次の要素は、ＨＩＤランプ２０６内のガスを分解する高電圧点火装置２０５である。
【００５４】
このＨＩＤに電力を供給する実施態様は、電動の周期、サイクル、及びパルス発生器２０７を利用し、前記ＨＩＤランプ２０６からの光を調節する。図１におけるデバイス１００と同様に、このデバイスの開始／停止スイッチ２１２は、前記電動の周期、サイクル、及びパルス発生器２０７に連結され、光源、すなわちＨＩＤ２０６それ自体が即時にオフされることなく調節が制御される。
【００５５】
図２を参照すると、電動の周期、サイクル、及びパルス発生器２０７を通過した光が、光学レンズ２０８の少なくとも１つにより集光されそして集束される。当業者は、本発明のさらなる実施態様が、光を集光しそして集束するためのこの光学レンズ２０８と機能的に等しい異なる構造体を利用できることを理解するであろう。前記構造体には、反射器、ミラー、及び／又は複数のプリズム、及び／又はこれらの組み合わせの１つ又はそれ以上が含まれるが、これらに限定されない。
【００５６】
図２の実施態様では、図１の実施態様のように、光学レンズ２０８により光が集光されそして集束された後に、光は、ハンドピース２１０に前記の光を供給する光ファイバーケーブル２０９を通り、そして、出力チップ２１１を保持するハンドピース２１０に移動する。前記出力チップ２１１は、液体の振動を誘導するように、所望の屈折角度で前記の光を屈折させる。前記液体には、水が含まれるが、これには限定されない。前記チップの材料には、プラスチック及び／又はガラスが挙げられるが、これらに限定されない。
【００５７】
図３及び４は、光子誘起音響波の光源としてＬＥＤを利用する、本発明の異なる２つの実施態様である。これら２つの実施態様は、実施例として説明される。当業者は、これらの図の実施態様が、装置を具体化しそして主張するシステム及び方法を実践する、液体の水の振動吸収スペクトルの光スペクトルにおけるＬＥＤ光源を利用する全ての実施態様を包含することを意図するものではないこと、並びにその追加の変形が、列挙されたこれらの実施態様の概念を採用していることを認識するであろう。
【００５８】
図３を参照すると、デバイス３００は、音響流のための光子供給源として多波長ＬＥＤアレイ（ダイ）３１９を利用する。前記多波長ＬＥＤアレイ３１９は、複数の波長を生成することができるので、前記デバイス３００は、異なる用途にわたって柔軟に適応する。前記多波長ＬＥＤアレイ３１９のスペクトルは、１、２、又はそれ以上の波長に集束され、所望の光音響衝撃効果を生成することができる。前記デバイス３００はまた、電流、電圧、及び熱を管理するために、電力補正回路及び冷却要素を含む。
【００５９】
本発明の種々の実施態様において使用可能なＬＥＤ光源の構成は、光学ハウジングに装着されたＬＥＤの１つ又はそれ以上、光学ハウジングによりＰＣＢに装着されたＬＥＤの１つ又はそれ以上、及び／又は光学ハウジングによりＰＣＢに装着されたＬＥＤダイの１つ又はそれ以上を含む。
【００６０】
前記デバイス３００は、ＡＣラインから電源の入力を得て、そしてＡＣ／ＤＣ変換器３０１を使用する。本発明の実施態様においては、前記ＡＣライン入力は、フロントエンドラインフィルタにより８６ＶＡＣ〜２４０ＶＡＣで５０／６０Ｈｚとなる。前記デバイス３００はまた、全てのＩＣサプライ（IC supplies）に電力を供給する低電圧電源３０２を利用する。本発明の実施態様において、電源は、５ＶＤＣ及び１５ＶＤＣである。前記デバイス３００はまた、インダクタ／トランス（inductor/ transformer）でありそして共振でスイッチングするように設計されている誘導記憶デバイス３０３を利用する。
【００６１】
力率補正（Power Factor Correction）ＡＮＡ ＰＦＣを含むがこれらには限定されないＰＦＣスイッチングデバイス（switching PFC device）は、デジタルポテンショメータＩＣ３０５（Digital Potentiometer ICs 305）に連結される。前記デジタルポテンショメータＩＣ３０５は、マイクロコントローラデバイス３１２からの指示を受け取り、出力電力を設定する。
【００６２】
図３を参照すると、前記デバイス３００の電力補正回路に含まれるものは、誘導負荷（inductive load）を切り替えるために利用されるスイッチング金属酸化膜半導体電界効果トランジスタ（Ｍｏｓｆｅｔ）であるトランジスタ３０６、すなわち超改良型Ｍｏｓｆｅｔ（super enhanced Mosfet）、及びＤＣブロックコンデンサ３０７である。第二誘導記憶デバイス３０８もまた、力率補正回路の一部である。このインダクタ／トランスは、電圧を下げるために使用され、そして前記誘導記憶デバイス３０３と共振する。この第二誘導記憶デバイス３０８が電力を補正した後、整流器３０９はＡＣをＤＣに変換するために利用される。フィルタコンデンサ３１０は、ＤＣをフィルタリングする。パルス及びデューティサイクル駆動ＩＣ３１１（pulse and duty cycle driver IC 311）は、Ｍｏｓｆｅｔ３０６を駆動するために利用される。この相互作用は、この実施態様におけるＬＥＤアレイ３１９を駆動するための所望のパルスの出力を可能にする、速い立ち上がり時間を可能とするために利用される。
【００６３】
デジタルポテンショメータＩＣｓ３０５に指示を与える前記のマイクロコントローラ３１２はまた、振動のための、パルス繰り返し数（pulse rates）、サイクルタイム（cycle time）、及び周期時間（period time）を設定するために利用される。前記マイクロコントローラ３１２は、ＬＥＤ波長の選択をさらに制御し、そしてデバイス３００の最終的な出力を管理する。前記マイクロコントローラ３１２は、ＬＥＤ多波長選択ダイバー／マルチプレクサ３２７に指示を送信し、前記デバイス３００の波長を制御する。出力を制御するために、前記マイクロコントローラ３１２は、サーマルスイッチ３２０を利用して、前記多波長ＬＥＤアレイ３１９中のＬＥＤアレイ／ダイの熱温度（thermal temperature）を監視する。前記マイクロコントローラ３１２は、フォトトランジスタ及び増幅検出回路３２６からの強度フィードバックもまた監視し、前記マイクロコントローラ３１２は、受け取ったフィードバックに基づいて、必要に応じて補正を行う。
【００６４】
マイクロコントローラ３１２は、開始停止スイッチ３１３により起動及び停止される。前記マイクロコントローラ３１２のパルス時間選択は、パルス時間選択スイッチ３１４により起動される。したがって、前記マイクロコントローラ３１２は２つのスイッチ、すなわち前記開始／停止スイッチ３１３及びパルス時間選択スイッチ３１４からの入力を受け取り、これらの入力は、前記マイクロコントローラ３１２の活動を管理する。
【００６５】
マイクロコントローラ３１２及び前記デバイス自体の活動を、液晶ディスプレイ（ＬＣＤ）３１５を用いて監視することができる。前記ディスプレイは、前記マイクロコントローラ３１２による制御設定をユーザーに対して表示することができるので、前記ユーザーは異なる手順を通じて手動で調整を行うことができる。本発明の１つの実施態様は、光ファイバーアセンブリ中にカメラを含むことができる。前記ＬＣＤ３１５は、次いで撮影した画像を表示し、そして歯科治療デバイス３００のユーザーを案内する。
【００６６】
本発明のこの実施態様では、システムを冷たい状態に保つために、熱が管理される；前記ＬＥＤダイが冷たくなればなるほど、出力電力は大きくなる。前記システムを冷却するために、前記デバイス３００は、ファン３１６及びヒートシンクを利用し、冷却用熱電ヒートポンプ３１８から熱を除去する。この熱電ヒートポンプ３１８は、前記ヒートシンク３１７、及び前記多波長ＬＥＤアレイ３１９中の前記ＬＥＤアレイ／ダイに取り付けられる。
【００６７】
前記多波長ＬＥＤアレイ３１９から放射される光は、光学レンズ３２１により焦点に再集束する。本発明のさらなる実施態様は、光を焦点に再集束及び案内するために、代替の光学的な要素、例えば反射器、ミラー、及び／又はプリズムを採用してもよい。光が再集束された後、光は、前記多波長ＬＥＤアレイ３１９及び光ファイバーケーブル３２３とインターフェースしている（interfaces with）光ファイバーアセンブリ３２２を介して送信される。後者である光ファイバーケーブル３２３は、交換式チップ３２５に取り付けられたハンドピース３２４に取り付けられる。前記チップ３２５は、所定の屈折角度の１つ又はそれ以上で光を分散し、そして結果として得られた出力（光）は、液体中の効果的な振動を生成する。チップを構成する材料は、プラスチック及び／又はガラスを含むが、これらには限定されない。
【００６８】
図３におけるデバイス３００同様に、図４におけるデバイス４００は、ＬＥＤ光源を利用する。図４を参照すると、前記デバイス４００は、ＡＣ又はＤＣ入力４０１及びＤＣ電圧電源４０２により給電される。ＬＥＤドライバー４０３は、図４において、図３のマイクロコントローラ３１２と同様の役割を果たしているので、光源、この実施態様においては単一又は多波長ＬＥＤアレイ（ダイ）４０５の、周期、サイクル、及びパルス発生を制御する。このＬＥＤドライバー４０３は、振動を起動及び停止させる開始／停止スイッチ４０４に連結されている。
【００６９】
このデバイス４００における光子誘起光音響流のための光源は、単一又は多波長ＬＥＤアレイ／（ダイ）４０５である。多波長が可能である実施態様は、より多様な用途にわたって有用であるが、用途に応じては単一波長ＬＥＤアレイの使用で十分であることができ、そしてしたがって、単一波長のみを有する実施態様では費用効率がよい（cost effective）。
【００７０】
光源、図４においては単一又は多波長ＬＥＤアレイ（ダイ）４０５からの光は、光学デバイス、例えば表示された光学レンズ４０６、レンズの１つ又はそれ以上、反射器、ミラー、及び又はプリズムを含むがこれらには限定されない前記光学デバイスにより集束される。再集束及び方向付けされた後、光は、光ファイバーアセンブリ４１０を通って、交換式チップ４０９を保持するハンドピース４０８に取り付けられた、光ファイバーケーブル４０７に移動する。前記チップ４０９が、所定のパターンで光を出力し、結果として生じる出力（光）が、前記チップが部分的に水没している液体を振動させる。チップの材料には、プラスチック及び／又はガラスが含まれるが、これらには限定されない。図６は、取り外し可能なチップ４０９の実施態様である。
【００７１】
図５の実施態様は、光源としてレーザーダイオードを利用する。図５のデバイス５００は、電源である２個のバッテリー５０２を使用している。前記デバイス５００のバッテリーを収納する部分は、ハンドピースハウジング５０１に接続されている。この実施態様では、光音響治療用の波長を発生させるレーザーダイオードデバイス５０５のために、開始／停止スイッチ５０３は、タイミング回路及びレーザーパワードライバー５０４を起動する。光学ハウジングアセンブリ５０６は、ハンドピースハウジング５０１に取り付けられており、前記光学ハウジングアセンブリ５０６は、交換式チップスマートセンサー５０７及び交換式チップ５０８を含み、それらの例は、図６、並びに図８ａ、８ｂ、及び８ｃに示されている。
【００７２】
スマートセンサー５０７は、この実施態様において、安全機能（safety feature）である。これらのセンサーは、交換可能なチップの頭部に埋め込まれている小さな接触点であり、それらは、光源、例えば、ＬＥＤ又はレーザーアレイの電力レベル用のプログラムを設定している。歯内治療は、歯周治療よりも高い電力設定を必要とする。仮に、あなたが、歯内用途の高電力設定を歯周用途のために利用しようとした場合、前記スマートセンサー５０７は問題を感知し、それに応じて調整することができる。
【００７３】
本発明の１つの実施態様では、前記スマートセンサー５０７は、交換式チップ５０８を高電力チップ、低電力チップ、又は生物刺激チップ（bio stimulation tip）のいずれかとして認識し、次いで、オペレーターが交換可能なチップを不適切な設定値の誤った用途で使用できないように、電力及び設定値を自動で設定する。
【００７４】
このデバイス及び方法で利用される様々な光源にわたって、チップは、液体の水のＩＲ振動吸収スペクトル用の出力チップであり、そして光源からの光を焦点に導く、及び／又は広範な光学パターンを覆うように広がる。チップの実施態様は、使い捨てと非使い捨ての両方である。しかし、衛生上の理由から、非使い捨てチップは、滅菌可能な材料で作製されなければならない。
【００７５】
図６を参照すると、チップ６００のこの実施形態の構成要素は、プラスチック光ファイバーで構成されている。前記チップは、パルスする液体から、それを通過する光を分離する。このチップ６００は、図１−５の実施態様を含む、本発明の様々な実施態様に組み込まれことができるが、これらに限定されない。この実施態様においてはＬＥＤ６０５である前記光源は、様々な角度で光を分散させる第一プラスチック光ファイバー６１０である。屈折の角度は、特定の角度で光ファイバーケーブルを切断すること、及び／又は第一プラスチック光ファイバー６１０、例えばレンズ、ミラー、及び／又はプリズムを含むことにより確立されることができる。
【００７６】
光ファイバーハウジング６２０は、前記チップ６００の液体６４０と接触していない部分を囲んでいる。このチップの目的は、前記チップ６００が液体と接触した場合であっても、屈折光の歪みを防止することである。前記第一プラスチック光ファイバー６１０に関して液体に接触することが可能であれば、角度を歪めるであろう。媒介物中のこの変化は、患者の組織及び歯を損傷するホットスポットを生成する光及び熱を集束させるであろう。ホットスポットはまた、痛みを引き起こす可能性がある。このために、第二プラスチック光ファイバー６３０は前記チップの先端を囲む。前記第二プラスチック光ファイバー６３０が、主要な光学表面と液体とが接触するのを防ぐので、光は、液体６４０により歪められない。液体と接触している屈折光及び損なわれた角度（the angle being compromised）の代わりに、前記第一プラスチック光ファイバー６１０と前記第二プラスチック光ファイバー６３０との間の空間が、エアポケット６５０を作り出す。空気との接触は角度を変化させない。前記チップ６００が患者の口内の任意の構造と接触する場合に、前記第二プラスチック光ファイバー６３０もまた、角度を保持する。
【００７７】
前記チップによって達成される屈折角度は、チップの実施態様間及び用途間で異なる。例えば、歯根管の間に使用されているチップは、到達不可能な組織ポケットを潅注するために、様々な方向に光を屈折させることができる。一方、歯周で使用されるいくつかの実施態様では、光が前記チップ６００を射出される際に、光の焦点を一点に合わせることができる。
【００７８】
図７は、本発明のデバイス７００の実施態様の一部を示す。図７を参照すると、光源である多波長ＬＥＤアレイが光を放出し、前記光は、２つの光学レンズ７０２により集光されそして集束される。当業者は、本発明のさらなる実施態様が、光を集光しそして集束するためのこの光学レンズ７０２と機能的に等しい異なる構造体を利用できることを理解するであろう。前記構造体には、反射器、ミラー、及び／又は複数のプリズム、及び／又はこれらの組み合わせの１つ又はそれ以上が含まれるが、これらに限定されない。
【００７９】
光が再集束された後、ライトビーム７０６は、光ファイバーアセンブリ７０３を通って光ファイバーケーブル７０４に送信される。前記光ファイバーケーブル７０４の光ファイバーバンドル７０７は、ハンドピース７０５に封入され、そして交換式チップ７０６は、前記ハンドピース７０５に取り付けられる。図６に見られるように、前記交換式チップ７０６は、光ファイバーケーブル７０４の先端と交換式チップ７０６の先端との間のポケットのために、前記光ファイバーバンドル７０７から放射されている光が液体に直接接触することを妨げる。光は、ホットスポットを潜在的に生成することができる液体に直接出力をしないため、前記交換式チップ７０６からのライトビームパターン７０８の出力が保持される。前記チップの材料には、プラスチック、ガラス、及び／又は高温光学ファイバー材料、例えばアクリル酸塩が含まれるが、これらには限定されない。
【００８０】
図８ａ〜８ｃは、歯内及び歯周用途の両方のための、本発明の１つの実施態様によって利用される交換式チップの実施態様３つを示す。これらのチップの先端の異なる形状は、これらの異なる用途に適している別々のパターンにおける、光及び光音響放出に適用される。
【００８１】
図８ａは光子誘起流チップであり、これは、潅注剤を通じて、光子音響衝撃波を送信するように設計される。前記潅注剤には、１７％エチレンジアミン四酢酸（ＥＤＴＡ）、及び５．２５％次亜塩素酸ナトリウム溶液が含まれるが、これらに限定されない。前記のように、任意の抗細菌及び／又は抗菌溶液、食塩水、及び／又は水が、このチップの実施態様と組み合わされて使用されることができる。
【００８２】
図８ｂは、ペリオ高エネルギーチップであり、これは、ポケット及び歯組織を通じて分散された病原菌を除去及び排除するように設計される。本発明の１つの実施態様では、このチップは、口の溝（sulcus）の軟組織、又は歯肉組織（gum tissue）を切断するために使用される。この治療は、組織がひどく感染しているか又は歯上で高すぎるかのどちらかの場合に実施され、ブラッシング及びフロッシング(flossing)用の容易な利用を可能としていない。
【００８３】
本発明の実施態様はまた、図８ｂに示されたものよりも低エネルギーなチップと組み合わされて使用される。前記低エネルギーチップは、光源が集束されることを可能にするが、切断作業をする場所は多くはなく、むしろ歯周ポケット内の殺菌効果を可能にする場所に拡散されそして希釈されることを可能にする。これには、歯に付着している又は歯周組織の外側の層上にいる病原体を殺すことが含まれるであろう。長時間使用されることができるこの低エネルギーチップを利用すれば、又は高エネルギーチップがあれば、通常のＳＲＰ（スケーリング・ルートプランニング）では除去することができずそして光療法又は重い抗生物質治療でのみ効果的に除去される組織内へ病原体を吸収した患部組織それ自体を治療するために使用することができる。後者の重い抗生物質治療は常に効果的であるわけではない。低エネルギーチップの直径は、光及び音響波の低濃度用途を可能にするために広くなっている。
【００８４】
図８ｃは、ペリオ生物刺激チップであり、これは、細胞機能に生物的な刺激を与えそしてリンパ液の流れの増加、エンドルフィンの生産、微小循環の増加、コラーゲン形成増加、及び線維芽細胞への刺激を促進し修復する。このチップは、低エネルギーの設定を利用しており、そして前記チップは幅が広いので、より大きな領域にわたって音響波を拡散する。したがって、光源、例えばレーザーダイオードは、損傷した組織に影響を与えるが、健康な組織には与えない。放出された光は、細胞の機能を正常化し、そして治癒及び修復を促進する。
【００８５】
本発明の実施態様によって利用される水のＩＲ振動吸収スペクトルの目標値は、用途と同様に、実施態様に応じて変化するであろう。
【００８６】
異なる波長は、異なる用途のために有効である。特定の波長は、歯及び歯根表面の歯石除去に効果的であった。特定の波長は、進行した歯周病が原因で軽度から中程度の（slight to moderate）骨損失が存在する、骨成長の刺激において有効であった。脈拍数、電力設定、及び／又はチップの１つ又は複数を変化させることによって、この範囲は、複数の用途間にわたって有効である。
【００８７】
本発明の１つの実施態様では、９５０−９８０ｎｍの波長は、歯内及び歯周治療の両方の用途のために利用される。反復率（Ｈｚ）、デューティサイクル、及びパルス持続時間（すなわち、パワー設定）を変化させることによって、前記スペクトルに加えて、この波長を利用する実施態様は、効果的であり、かつ様々な電源／光源の使用が可能である。光源には、白熱電球、ＨＩＤ、ＬＥＤ、及びレーザーダイオードが含まれるが、これらに限定されない。この実施態様では、電力設定は、歯内及び歯周用途の光誘起流の間に、５０ミリ秒のバーストにより２０マイクロジュールを利用可能である１０−１５Ｈｚを放出するように設定されることができる。一般的には、歯周用途はより低い電力設定を利用する一方で、歯内用途は、より高い電力設定を利用する。本発明のさらなる実施態様は、歯周用途のための低い電力設定と一体となったより低い波長を使用する。
【００８８】
前述のように、本発明のデバイスは、単一の実施態様において、波長の１つ以上を利用することができる。電源設定を変化させることによって、いくつかの波長は、複数の用途にわたって有効である。しかしながら、本発明のいくつかの実施態様は、特定の用途のために特に有効である波長が可能である。例えば、約５００ｎｍ−１０６４ｎｍの波長を放射する実施態様は、歯周治療において特に有効である。９５０ｎｍ−９８０ｎｍの波長を放射する実施態様は、この低い範囲、吸収増加のために、歯内治療に特に有効である。例えば、９５０ｎｍ−９８０ｎｍの吸収速度は、約６００ｓの範囲の波長を利用する速度の、約１０倍である。しかしながら、５１４ｎｍの波長を利用する本発明の実施態様は、吸収に関する限りでは最も効果的ではないが、歯内治療用途の光音響流が可能である。本発明の実施態様は、歯内用途のために最大３３００ｎｍの波長を利用する。
【００８９】
本発明の実施態様で利用される光源にかかわらず、利用される波長は、範囲にわたって柔軟である。例えば、ＬＥＤを有するいくつかの実施態様では、３５０ｎｍ−３３００ｎｍの範囲にわたる。レーザーダイオードを有するいくつかの実施態様では、３７５ｎｍ−３５００ｎｍの範囲にわたる。ＨＩＤを有するいくつかの実施態様では、５００ｎｍ−１９５０ｎｍの範囲にわたる。白熱光源を有するいくつかの実施態様では、５００ｎｍ−１９５０ｎｍの範囲にわたる。これらの実施態様は、単に例として提供される。当業者は、本発明のデバイス及び方法が記載された実施態様を超えて波長を変化させることによって、構成される及び実施されることができることを認識するであろう。
【００９０】
種々の実施態様による利用電力は、選択された実施態様の波長及び電源に応じて変化する。本発明の実施態様は、１Ｈｚ〜２５０Ｈｚのサイクルタイム、及び１マイクロ秒〜１０００マイクロ秒のパルス時間を利用する。当業者は、本発明のデバイス及び方法が記載された実施態様を超えて、サイクルタイム、並びにパルス時間及び繰り返し数を変化させることによって、構成される及び実施されることができることを認識するであろう。
【００９１】
本発明は、特定の実施態様に関して説明してきたが、その他の多くの変形及び修正が当業者には明らかになるであろう。このように、本明細書中で説明された、デバイス、システム、及び方法の現在好ましい実施態様の詳細な説明に基づいて異なる実施態様を実可能であることが、当業者には容易に明らかであろう。
【図１】
0005977435.tif 000002
【図２】
0005977435.tif 000003
【図３】
0005977435.tif 000004
【図４】
0005977435.tif 000005
【図５】
0005977435.tif 000006
【図６】
0005977435.tif 000007
【図７】
0005977435.tif 000008
【図８】
0005977435.tif 000009